(57)【要約】      （修正有）【課題】鼻あてブラケット構成部品が単純で、レンズを高速に組み立てることができ、コンポーネントコストを軽減できるメガネの鼻あてブラケット構造を提供する。【解決手段】レンズ本体１０中央位置の底部端から延在して凸設するオス締め金単元１２と、弾塑性部材から仕上げる鼻あてブラケット２０とを備える。鼻あてブラケット２０にメス締め金単元２２を一体成型しており、メス締め金単元２２に弾性誘導口２４と、引っ掛け係止空間２５とを設けることによって、オス締め金単元１２の引っ掛け端１４をその方向のまま弾性誘導口２４に誘導し、弾性に広げて、その中に組み付けられ、組付け完了後弾性誘導口２４が同時に弾性に元位置に戻し、オス締め金単元１２の引っ掛け端１４を引っ掛け係止空間２５の係止面２６に嵌め合わせて置き、鼻あてブラケット２０と、レンズ本体１０の組立便利と、安定な固定結合を達成する。【選択図】図７
0003210407.tif 000002
【実用新案登録請求の範囲】
【請求項１】
フレーム本体と、レンズ本体とを備える、メガネの鼻あてブラケット構造であって、
前記レンズ本体の外縁にフレームを固定しており、前記レンズ本体中央位置の底部は下向きにオス締め金単元を延在しており、前記オス締め金単元がオス締め金部を含む、前記オス締め金部末端の両側にそれぞれ引っ掛け端を横設され、
前記鼻あてブラケットは弾塑性部材から仕上げられ、前記鼻あてブラケットが結合部を含む、前記結合部の後端にブラケット部を一体成型していて、かつ、前記結合部が前記レンズ本体の前記オス締め金単元に対応して、メス締め金単元を一体成型しており、前記メス締め金単元に弾性誘導口を有し、前記弾性誘導口の末端に引っ掛け係止空間を設け、前記引っ掛け係止空間が前記弾性誘導口両側の位置に対応して、横方向に係止面を形成し、前記弾性誘導口が前記弾塑性部材によって、前記オス締め金単元の前記引っ掛け端は前記弾性誘導口をまっすぐに弾性に広げ後、その中に組み付け、組付け完了後前記弾性誘導口が同期に弾性に元位置に戻され、前記レンズ本体の前記オス締め金単元にある前記引っ掛け端を前記引っ掛け係止空間の前記係止面に嵌め合わせて固定することを特徴とする、メガネの鼻あてブラケット構造。
【請求項２】
前記メガネの鼻あてブラケットの前記弾塑性部材は、二酸化ケイ素（Ｓｉｌｉｃｏｎ  ｄｉｏｘｉｄｅ）部材から仕上げることを特徴とする、請求項１に記載のメガネの鼻あてブラケット構造。
【請求項３】
前記レンズ本体の前記オス締め金単元にある前記オス締め金部の底面に誘導面を形成し、前記オス締め金部の上面に嵌め合わせ面を形成することによって、前記オス締め金部と、前記メス締め金単元の弾性誘導口を相互に組み付けて広げられた状態において、オス締め金部の前記誘導面を前記メス締め金単元の前記弾性誘導口に接触し滑らせて、前記オス締め金部の嵌め合わせ面を前記メス締め金単元の前記係止面に嵌め合わせて固定することを特徴とする、請求項１に記載のメガネの鼻あてブラケット構造。
【請求項４】
前記レンズ本体の前記メス締め金単元が前記鼻あてブラケットの前記メス締め付け金単元の対応位置に、複数の第２貫通孔をそれぞれ設け、前記第２貫通孔の前段場所に径の大きい第２段差溝を設け、前記鼻あてブラケットの前記オス締め金単元が前記第２貫通孔の位置に対応して、第１貫通孔を貫設し、前記第１貫通孔の末端に径の大きい第１段差溝を設けることによって、前記レンズ本体と前記鼻あてブラケットが相互に結合された状態において、前記第１貫通孔と、前記第２貫通孔を弾塑性部材から仕上げる固定素子に嵌め込み固定して置き、前記固定素子がヘッド端を含む、前記ヘッド端の一端に外径を縮小した連結柱を設け、前記連結柱の径方向に圧縮切り欠きを開け、前記連結柱の末端は、前記圧縮切り欠きに対応して、締結端を設け、前記固定素子の前記連結柱によって内側に前記圧縮切り欠きを圧縮し、前記締結端を縮小させた上、前記第１貫通孔と、前記第２貫通孔に進入した後、前記締結端を前記第２貫通孔の前記第２段差溝に締結して、弾性に広げて固定され、前記固定素子の前記ヘッド端を前記第１貫通孔の前記第１段差溝に制限することを特徴とする、請求項１記載のメガネフレームの構造。
【請求項５】
前記弾塑性部材は、二酸化ケイ素（Ｓｉｌｉｃｏｎ  ｄｉｏｘｉｄｅ）部材から仕上げることを特徴とする、請求項４に記載のメガネの鼻あてブラケット構造。
【考案の詳細な説明】
【技術分野】
【０００１】
本考案はメガネの鼻あてブラケット構造に関し、特に鼻あてブラケット構成部品が単純で、しかもレンズを高速に組み立てることができ、コンポーネントコストを軽減できる斬新な構造設計に関する。
【背景技術】
【０００２】
図１〜２、公知技術のメガネの鼻あてブラケット構造を参照する。主にレンズ部２を有し、その外縁にフレーム１を囲み、レンズ部２の中央底部位置に鼻あてブラケット３を設け、鼻あてブラケット３をブラケット部４と、連結台７と相互に組み付けて構成し、連結台７の所定位置に複数の連結柱８を設けていて、かつ、レンズ部２が連結柱８に合わせて貫通孔６を釣り合って設けることによって、連結台７の各連結柱８の貫通孔６を貫き、ブラケット部４が連結台７の連結柱８に合わせて、連結孔５を釣り合って設けることによって、連結柱８をレンズ部２の貫通孔６に通した後、ブラケット部４の連結孔５に組み付けて、鼻あてブラケット３と、レンズ部２の中央位置底部の結合固定が達成される。
【考案の概要】
【考案が解決しようとする課題】
【０００３】
しかしながら、公知の鼻あてブラケット３の構造が複雑で、構成部品も多く、業者のコスト負担になりやすいほか、公知の鼻あてブラケット３が解体しやすく、使用者の顔部に傷つける恐れがある。
【０００４】
前記公知技術の構造に存在する問題点について、より理想で、しかも実用的の斬新機構を開発することが消費者の望むことであり、業者の研究開発の目標と方向である。
【課題を解決するための手段】
【０００５】
本考案の主な目的は、メガネの鼻あてブラケット構造を提供する。解決しようとする問題点は、公知の鼻あてブラケット構造が複雑で、構成部品が多く、業者のコスト負担を増加するばかりでなく、公知の鼻あてブラケットが解体して破壊され、使用者の顔部に傷つける恐れがある点の解消を図りたい。
【０００６】
本考案で問題解決に関わる技術特長は、主にレンズ本体と、鼻あてブラケットを備え、外縁部にフレームを固定している。そのうち、レンズ本体中央位置の底部が下向きにオス締め金単元を延在し、オス締め金単元がオス締め金部を有し、オス締め金部末端の両側に、引っ掛け端をそれぞれ横方向に設けられている。弾塑性部材から仕上げる鼻あてブラケットは結合部を含む、結合部の後端は一体成型したブラケット部を設けられ、結合部がレンズ本体に対応し、オス締め金単元を一体成型したメス締め金単元を設けられている。そのうち、メス締め金単元が弾性誘導口を含む、弾性誘導口の末端に引っ掛け係止空間を有し、引っ掛け係止空間は、弾性誘導口の両側の側壁位置に対応して、横方向に係止面を形成し、弾性誘導口が弾塑性部材によって、オス締め金単元の引っ掛け端がまっすぐに弾性誘導口を弾性に広げた後、その中に組み付けられ、組付け完了後弾性誘導口が同期して弾性に元位置に戻し、レンズ本体オス締め金単元の引っ掛け端を引っ掛け係止空間の係止面に嵌め合わせて固定して置く。
【考案の効果】
【０００７】
本考案の斬新な独特設計により、本考案の鼻あてブラケットを弾塑性部材に仕上げることによって、レンズ本体のオス締め金単元の引っ掛け端が弾性誘導口はまっすぐに弾弾性に広げて、その中に組み付けられる。組付け完了後、弾性誘導口が同期して弾性に元位置に戻され、レンズ本体のオス締め金単元の引っ掛け端を引っ掛け係止空間の係止面に嵌め合わせて固定して置き、鼻あてブラケットと、レンズ本体の組立便利、安定な固定結合を達成する。本考案による鼻あてブラケットを一体成型に仕上げることができ、部材コストを大幅に軽減できると共に、組立効率を向上し、公知の鼻あてブラケット構造が複雑で、構成部品が多い欠点を解消できる。
【図面の簡単な説明】
【０００８】
【図１】公知メガネ鼻あてブラケット構造による立体組み合わせ図である。
【図２】公知メガネ鼻あてブラケット構造による立体分解図である。
【図３】本考案のメガネ鼻あてブラケット構造による立体組み合わせ図である。
【図４】本考案のメガネ鼻あてブラケット構造による立体分解図である。
【図５】本考案のメガネ鼻あてブラケット構造もう一つの視角による立体分解図である。
【図６】本考案のメガネ鼻あてブラケット構造による断面分解図である。
【図７】本考案図６の局所拡大図である。
【図８】本考案のメガネ鼻あてブラケット構造による組立動作図（その１）であり、組立前の態様を示す図である。
【図９】本考案図８の局所拡大図である。
【図１０】本考案のメガネ鼻あてブラケット構造による組立動作図（その２）であり、組立の態様を示す図である。
【図１１】本考案のメガネ鼻あてブラケット構造による組立動作図（その３）であり、組立の態様を示す図である。
【図１２】本考案のメガネ鼻あてブラケット構造による固定素子の組立動作図（その１）であり、組立前の態様を示す図である。
【図１３】本考案のメガネ鼻あてブラケット構造による固定素子の組立動作図（その２）であり、組立完了の態様を示す図である。
【考案を実施するための形態】
【実施例】
【０００９】
図３〜１３、本考案のメガネ鼻あてブラケット構造による好ましい実施例を参照する。ただし、これらの実施例は説明の目的に提供するものであり、実用新案出願の範疇にはこれらの構造に拘束されないことを申し上げる。
【００１０】
主にレンズ本体１０と、鼻あてブラケット２０と、を備え、その外縁部にフレーム１１を固定されている。そのうち、レンズ本体１０中央位置の底部は下向きにオス締め金単元１２が延在され、オス締め金単元１２がオス締め金部１３を含む、オス締め金部１３末端の両側に、引っ掛け端１４をそれぞれ横設する。
【００１１】
弾塑性部材から仕上げる鼻あてブラケット２０が結合部を有し、係る弾塑性部材は二酸化ケイ素部材であり、鼻あてブラケット２０が結合部２１を有し、結合部２１の後端に一体成型した使用者の鼻筋に当てるブラケット部２７を設けられ、さらに、結合部２１がレンズ本体１０のオス締め金単元に対応して、メス締め金単元２２を一体成型して設ける。そのうち、メス締め金単元２２は弾性誘導口２４を含む、弾性誘導口２４の末端に引っ掛け係止空間２５を有し、引っ掛け係止空間２５が弾性誘導口２４の両側の側壁位置に対応して、横方向に係止面２６を形成し、弾性誘導口２４が弾塑性部材によって、オス締め金単元１２の引っ掛け端１４がまっすぐに弾性誘導口２４を弾性に広げた後、その中に組み付けられ、組付け完了後弾性誘導口２４が同期して弾性に元位置に戻して、レンズ本体１０オス締め金単元１２の引っ掛け端１４を図９〜１１に示すように、引っ掛け係止空間２５の係止面２６に嵌め合わせて固定して置く。
【００１２】
レンズ本体１０のオス締め金単元１２にあるオス締め金部１３の底面に誘導面１４１を形成し、オス締め金部１３の上面に嵌め合わせ面１４２を形成することによって、オス締め金部１３と、メス締め金単元２２の弾性誘導口２４とを相互に組み付けて広げた状態において、オス締め金部１３の誘導面１４１をメス締め金単元２２の弾性誘導口２４に接触し滑らせて、オス締め金単元１２の引っ掛け端１４はまっすぐに弾性誘導口２４を広げて、その中に組み付けた後、オス締め金部１３の嵌め合わせ面１４２をメス締め金単元２２の係止面２６に嵌め合わせて固定して置く。
【００１３】
引き続き、レンズ本体１０のオス締め金単元１２が鼻あてブラケット２０のメス締め付け金単元２２の対応位置に、複数の第２貫通孔１５をそれぞれ設け、第２貫通孔１５の前段に径の大きい第１段差溝１５１を設け、ブラケット２０のオス締め金単元２２が第２貫通孔１５に対応する位置に第１貫通孔２３を設け、第１貫通孔２３の末端に径の大きい第１段差溝２３１を設けることによって、レンズ本体１０と、鼻あてブラケット２０とを相互結合状態において、第１貫通孔２３と、第２貫通孔１５を弾塑性部材から仕上げる固定素子３０に組み入れて更に固定して置く。そのうち、弾塑性固定素子３０は、二酸化ケイ素（Ｓｉｌｉｃｏｎ  ｄｉｏｘｉｄｅ）部材から仕上げられている。固定素子３０がヘッド端３１を有し、ヘッド端３１の一端に外径がやや縮小する連結柱３２を設け、連結柱３２の径方向に圧縮切り欠き３３を開け、連結柱３２の末端が圧縮切り欠き３３に対応しており、締結端３４を設けることによって、固定素子３０の連結柱３２が圧縮切り欠き３３を内側に圧縮し、締結端３４を縮小させて、第１貫通孔２３と、第２貫通孔１５に進入した後、締結端３４を第２貫通孔１５の第２段差溝１５１に締結して、弾性に広げて固定され、図１２〜１３に示すように、固定素子３０のヘッド端３１を第１貫通孔２３の第１段差溝２３１に制限して置く。
【００１４】
これにより、本考案の鼻あてブラケットを弾塑性部材で仕上げることによって、オス締め金単元１２の引っ掛け端１４が弾性誘導口２４をまっすぐに弾弾性に広げて、その中に組み付けられる。組付け完了後、弾性誘導口２４が同期して弾性に元位置に戻され、レンズ本体１０のオス締め金単元１２の引っ掛け端１４を引っ掛け係止空間２５の係止面２６嵌め合わせて固定し、鼻あてブラケット２０と、レンズ本体１０の組立便利、安定な固定結合の目的を達成する。本考案による鼻あてブラケット２０を一体成型して仕上げることができ、部材コストを大幅に軽減できると共に、組立効率を向上し、公知の鼻あてブラケット２０の構造が複雑で、構成部品が多く、欠点を解消できる。使用者の顔部に傷つける恐れを解消できる。
【００１５】
以上の説明をまとめると、本考案の前述構造設計によれば、公知技術の欠点を克服できるほか、さらに、前述した種々な長所と、実用価値を有している。本考案は、創意を満ちた考案であり、当技術分野に同様または類似する製品の創作あるいは公開使用は見られない。よって、本考案がすでに実用新案特許に係る新規性と、進歩性要件を満足しており、法によって出願する。
【符号の説明】
【００１６】
（公知技術）
１      フレーム
２      レンズ部
３      鼻あてブラケット
４      ブラケット部
５      連結孔
６      貫通孔
７      連結台
８      連結柱
（本考案）
１０    レンズ本体
１１    フレーム
１２    オス締め金単元
１３    オス締め金部
１４    引っ掛け端
１４１  案内面
１４２  嵌め合わせ面
１５    第２貫通孔
１５１  第２段差部
２０    鼻あてブラケット
２１    結合部
２２    メス締め金単元
２３    第１貫通孔
２３１  第１段差溝
２４    弾性誘導口
２５    引っ掛け係止空間
２６    係止面
２７    ブラケット部
３０    固定単元
３１    ヘッド端
３２    連結柱
３３    圧縮切り欠き
３４    締結端
【図１】
0003210407.tif 000003
【図２】
0003210407.tif 000004
【図３】
0003210407.tif 000005
【図４】
0003210407.tif 000006
【図５】
0003210407.tif 000007
【図６】
0003210407.tif 000008
【図７】
0003210407.tif 000009
【図８】
0003210407.tif 000010
【図９】
0003210407.tif 000011
【図１０】
0003210407.tif 000012
【図１１】
0003210407.tif 000013
【図１２】
0003210407.tif 000014
【図１３】
0003210407.tif 000015
【手続補正書】
【提出日】平成29年3月14日(2017.3.14)
【手続補正１】
【補正対象書類名】実用新案登録請求の範囲
【補正対象項目名】全文
【補正方法】変更
【補正の内容】
【実用新案登録請求の範囲】
【請求項１】
フレーム本体と、レンズ本体とを備える、メガネの鼻あてブラケット構造であって、
前記レンズ本体の外縁にフレームを固定しており、前記レンズ本体中央位置の底部は下向きにオス締め金単元を延在しており、前記オス締め金単元がオス締め金部を含む、前記オス締め金部末端の両側にそれぞれ引っ掛け端を横設され、
前記鼻あてブラケットは弾塑性部材から仕上げられ、前記鼻あてブラケットが結合部を含む、前記結合部の後端にブラケット部を一体成型していて、かつ、前記結合部が前記レンズ本体の前記オス締め金単元に対応して、メス締め金単元を一体成型しており、前記メス締め金単元に弾性誘導口を有し、前記弾性誘導口の末端に引っ掛け係止空間を設け、前記引っ掛け係止空間が前記弾性誘導口両側の位置に対応して、横方向に係止面を形成し、前記弾性誘導口が前記弾塑性部材によって、前記オス締め金単元の前記引っ掛け端は前記弾性誘導口をまっすぐに弾性に広げ後、その中に組み付け、組付け完了後前記弾性誘導口が同期に弾性に元位置に戻され、前記レンズ本体の前記オス締め金単元にある前記引っ掛け端を前記引っ掛け係止空間の前記係止面に嵌め合わせて固定することを特徴とする、メガネの鼻あてブラケット構造。
【請求項２】
前記メガネの鼻あてブラケットの前記弾塑性部材は、二酸化ケイ素（Ｓｉｌｉｃｏｎ  ｄｉｏｘｉｄｅ）部材から仕上げることを特徴とする、請求項１に記載のメガネの鼻あてブラケット構造。
【請求項３】
前記レンズ本体の前記オス締め金単元にある前記オス締め金部の底面に誘導面を形成し、前記オス締め金部の上面に嵌め合わせ面を形成することによって、前記オス締め金部と、前記メス締め金単元の弾性誘導口を相互に組み付けて広げられた状態において、オス締め金部の前記誘導面を前記メス締め金単元の前記弾性誘導口に接触し滑らせて、前記オス締め金部の嵌め合わせ面を前記メス締め金単元の前記係止面に嵌め合わせて固定することを特徴とする、請求項１に記載のメガネの鼻あてブラケット構造。
【請求項４】
前記レンズ本体の前記メス締め金単元が前記鼻あてブラケットの前記メス締め付け金単元の対応位置に、複数の第２貫通孔をそれぞれ設け、前記第２貫通孔の前段場所に径の大きい第２段差溝を設け、前記鼻あてブラケットの前記オス締め金単元が前記第２貫通孔の位置に対応して、第１貫通孔を貫設し、前記第１貫通孔の末端に径の大きい第１段差溝を設けることによって、前記レンズ本体と前記鼻あてブラケットが相互に結合された状態において、前記第１貫通孔と、前記第２貫通孔を弾塑性部材から仕上げる固定素子に嵌め込み固定して置き、前記固定素子がヘッド端を含む、前記ヘッド端の一端に外径を縮小した連結柱を設け、前記連結柱の径方向に圧縮切り欠きを開け、前記連結柱の末端は、前記圧縮切り欠きに対応して、締結端を設け、前記固定素子の前記連結柱によって内側に前記圧縮切り欠きを圧縮し、前記締結端を縮小させた上、前記第１貫通孔と、前記第２貫通孔に進入した後、前記締結端を前記第２貫通孔の前記第２段差溝に締結して、弾性に広げて固定され、前記固定素子の前記ヘッド端を前記第１貫通孔の前記第１段差溝に制限することを特徴とする、請求項１に記載のメガネの鼻あてブラケット構造。
【請求項５】
前記弾塑性部材は、二酸化ケイ素（Ｓｉｌｉｃｏｎ  ｄｉｏｘｉｄｅ）部材から仕上げることを特徴とする、請求項４に記載のメガネの鼻あてブラケット構造。